(57)【要約】【課題】被空調空間における負荷が少ない場合の省エネルギーを図る。【解決手段】空調制御装置３において、被空調空間２の室内温度ｔｐｖと被空調空間２への給気の温度ｔＳｐｖとを比較し、ｔｐｖ≒ｔＳｐｖとなったことを確認した場合、還気ダンパ１０の開度θＲを０％（全閉）、外気ダンパ８の開度θＡおよび換気ダンパ９の開度θＶを１００％（全開）とする。また、インバータ１−５への回転数の制御指令ＩＮＶ１およびインバータ１３への回転数の制御指令ＩＮＶ２を変更して給気ファン１−４および還気ファン１１の回転数を下げ、被空調空間２への給気の量および被空調空間２からの換気の量を減らす。【選択図】  図１
2009270770.tif 000002
【特許請求の範囲】
【請求項１】
被空調空間からの換気の一部を還気として外気と合わせて空調機へ戻す還気手段と、前記空調機からの前記被空調空間への給気の量を調節する給気量調節手段と、前記被空調空間から排出される換気の量を調節する換気量調節手段とを備えた空調制御システムに用いられる空調制御装置において、
前記被空調空間の室内温度と前記被空調空間への給気の温度とがほゞ同一となった場合、前記還気手段によって戻される前記空調機への還気の量を現在の還気の量よりも減らすとともに、前記給気量調節手段および前記換気量調節手段での調節量を絞って前記被空調空間への給気の量および前記被空調空間からの換気の量を現在の給気の量および換気の量よりも減らす制御状態切替手段
を備えることを特徴とする空調制御装置。
【請求項２】
請求項１に記載された空調制御装置において、
前記制御状態切替手段は、
前記被空調空間の室内温度と前記被空調空間への給気の温度とがほゞ同一となった場合、前記空調機への還気の供給通路に設けられた還気ダンパを全閉として、また前記空調機への外気の供給通路に設けられた外気ダンパおよび前記被空調空間からの換気の外気への排出通路に設けられた換気ダンパを全開として、前記給気量調節手段および前記換気量調節手段での調節量を絞る
ことを特徴とする空調制御装置。
【請求項３】
請求項１に記載された空調制御装置において、
前記制御状態切替手段は、
前記被空調空間の室内温度と前記被空調空間への給気の温度との差が所定の偏差範囲に入った時点より、その室内温度と給気の温度との偏差の度合いに応じて、前記空調機への還気の供給通路に設けられた還気ダンパの開度、前記空調機への外気の供給通路に設けられた外気ダンパの開度および前記被空調空間からの換気の外気への排出通路に設けられた換気ダンパの開度ならびに前記給気量調節手段および前記換気量調節手段での調節量を調整して行く
ことを特徴とする空調制御装置。
【請求項４】
請求項１に記載された空調制御装置において、
前記制御状態切替手段は、
前記被空調空間の室内温度と前記被空調空間への給気の温度とがほゞ同一となった場合、前記空調機への還気の供給通路に設けられた還気ダンパを徐々に全閉とし、また前記空調機への外気の供給通路に設けられた外気ダンパおよび前記被空調空間からの換気の外気への排出通路に設けられた換気ダンパを徐々に全開とし、前記給気量調節手段および前記換気量調節手段での調節量を徐々に絞って行く
ことを特徴とする空調制御装置。
【請求項５】
被空調空間からの換気の一部を還気として外気と合わせて空調機へ戻す還気手段と、前記空調機からの前記被空調空間への給気の量を調節する給気量調節手段と、前記被空調空間から排出される換気の量を調節する換気量調節手段とを備えた空調制御システムに適用される空調制御方法において、
前記被空調空間の室内温度と前記被空調空間への給気の温度とがほゞ同一となった場合、前記還気手段によって戻される前記空調機への還気の量を現在の還気の量よりも減らすとともに、前記給気量調節手段および前記換気量調節手段での調節量を絞って前記被空調空間への給気の量および前記被空調空間からの換気の量を現在の給気の量および換気の量よりも減らす制御状態切替ステップ
を備えることを特徴とする空調制御方法。
【請求項６】
請求項５に記載された空調制御方法において、
前記制御状態切替ステップは、
前記被空調空間の室内温度と前記被空調空間への給気の温度とがほゞ同一となった場合、前記空調機への還気の供給通路に設けられた還気ダンパを全閉として、また前記空調機への外気の供給通路に設けられた外気ダンパおよび前記被空調空間からの換気の外気への排出通路に設けられた換気ダンパを全開として、前記給気量調節手段および前記換気量調節手段での調節量を絞る
ことを特徴とする空調制御方法。
【請求項７】
請求項５に記載された空調制御方法において、
前記制御状態切替ステップは、
前記被空調空間の室内温度と前記被空調空間への給気の温度との差が所定の偏差範囲に入った時点より、その室内温度と給気の温度との偏差の度合いに応じて、前記空調機への還気の供給通路に設けられた還気ダンパの開度、前記空調機への外気の供給通路に設けられた外気ダンパの開度および前記被空調空間からの換気の外気への排出通路に設けられた換気ダンパの開度ならびに前記給気量調節手段および前記換気量調節手段での調節量を調整して行く
ことを特徴とする空調制御方法。
【請求項８】
請求項５に記載された空調制御方法において、
前記制御状態切替ステップは、
前記被空調空間の室内温度と前記被空調空間への給気の温度とがほゞ同一となった場合、前記空調機への還気の供給通路に設けられた還気ダンパを徐々に全閉とし、また前記空調機への外気の供給通路に設けられた外気ダンパおよび前記被空調空間からの換気の外気への排出通路に設けられた換気ダンパを徐々に全開とし、前記給気量調節手段および前記換気量調節手段での調節量を徐々に絞って行く
ことを特徴とする空調制御方法。
【発明の詳細な説明】
【技術分野】
【０００１】
この発明は、被空調空間からの換気の一部を還気として外気と合わせて空調機へ戻すようにした空調制御システムに用いられる空調制御装置に関するものである。
【背景技術】
【０００２】
従来より、空調機から被空調空間へ給気の供給を行う場合、被空調空間からの換気の一部を還気として外気と合わせて空調機へ戻すことによって、空調機の省エネルギー運転を行っている。図７に空調機に還気を戻すようにした空調制御システムの一例を示す（例えば、特許文献１参照）。
【０００３】
図７において、１は空調機、２は空調機１からの給気の供給を受ける被空調空間（室内）、３は空調制御装置、４は被空調空間２への給気の温度を検出する給気温度センサ、５は冷水弁、６は温水弁、７は加湿弁、８は空調機１への外気の供給通路に設けられた外気ダンパ、９は被空調空間２からの換気の外気への排出通路に設けられた換気ダンパ、１０は空調機１へ戻す還気の還流通路に設けられた還気ダンパ、１１は被空調空間２からの換気ダンパ９および還気ダンパ１０への換気の流出通路に設けられた排風機（還気ファン）、１２は被空調空間２からの換気の外気への排出通路に設けられた換気ファンである。還気ファン１１には回転数調整用のインバータ１３が付設されている。被空調空間２には、湿度設定器１４と、温度設定器１５と、湿度センサ１６と、温度センサ１７が設けられている。
【０００４】
空調機１は、冷却コイル（冷却用熱交換器）１−１と、加熱コイル（加熱用熱交換器）１−２と、加湿器１−３と、送風機（給気ファン）１−４とを有している。冷水弁５は冷却コイル１−１への冷水の供給通路に設けられている。温水弁６は加熱コイル１−２への温水の供給通路に設けられている。加湿弁７は加湿器１−３への加湿水の供給通路に設けられている。給気ファン１−４には回転数調整用のインバータ１−５が付設されている。
【０００５】
この空調制御システムにおいて、空調制御装置３には、湿度設定器１４からの被空調空間２に対する湿度設定値が室内湿度の設定値Ｈｓｐとして設定され、温度設定器１５からの被空調空間２に対する温度設定値が室内温度の設定値ｔｓｐとして設定される。また、空調制御装置３には、湿度センサ１６によって検出される被空調空間２における湿度（室内湿度）の実測値Ｈｐｖと、温度センサ１７によって検出される被空調空間２における温度（室内温度）の実測値ｔｐｖと、給気温度センサ４によって検出される被空調空間２への給気の温度（給気温度）の実測値ｔＳｐｖが与えられる。
【０００６】
空調制御装置３は、温度センサ１７からの室内温度の実測値ｔｐｖと温度設定器１５からの室内温度の設定値ｔｓｐとを取得し、室内温度の実測値ｔｐｖと室内温度の設定値ｔｓｐとが一致するように、冷水弁５の開度θ１や温水弁６の開度θ２を制御する。また、空調機１の給気ファン１−４の回転数を制御する。これにより、空調機１の冷却コイル１−１への冷水の量や温水コイル１−２への温水の量が調整され、また空調機１からの給気量が調整され、調整被空調空間２への給気の温度が制御される。
【０００７】
また、空調制御装置３は、湿度センサ１６からの室内湿度の実測値Ｈｐｖと湿度設定器１４からの室内湿度の設定値Ｈｓｐとを取得し、室内湿度の実測値Ｈｐｖと室内湿度の設定値Ｈｓｐとが一致するように、加湿弁７の開度θ３を制御する。これにより、空調機１の加湿器１−３への加湿水の量が調整され、被空調空間２への給気に含まれる水分の量が制御される。
【０００８】
また、空調制御装置３は、上述した給気温度および給気湿度の制御に際し、外気ダンパ８の開度θＡ、換気ダンパ９の開度θＶおよび還気ダンパ１０の開度θＲを制御し、空調機１への外気と還気との割合を調整する。また、インバータ１−５へ回転数の制御指令ＩＮＶ１を送り、給気ファン１−４の回転数を制御し、給気ファン１−４からの被空調空間２への給気の量を調整する。また、インバータ１３へ回転数の制御指令ＩＮＶ２を送り、還気ファン１１の回転数を制御し、被空調空間２からの還気ファン１１を介する換気の量を調整する。なお、換気ファン１２は、中央監視装置（図示せず）からのスケジュール制御等によりオンとされ、被空調空間２からの外気への一定量の換気を確保する。
【０００９】
図７には被空調空間２における負荷が少ない場合の給排気の制御状態を示している。なお、この例では、外気冷房やＣＯ２制御などは働いていないものとする。この場合、空調機１への外気の取入量を「３０００」、給気ファン１−４からの被空調空間２への給気の量を「６０００」、換気ファン１２を介する被空調空間２からの外気への換気の量を「２０００」とすると、還気ファン１１を介する被空調空間２からの換気の量が「４０００」となり、還気ダンパ１０を介する空調機１への還気の量が「３０００」、換気ダンパ９を介する外気への換気の量が「１０００」となる。
【００１０】
空調制御装置３は、被空調空間２における負荷が少ない場合、このようにバランスさせながら、給気温度と給気風量を調節して、被空調空間２における負荷を処理する。
【００１１】
【特許文献１】特開平８−２７１０２７号公報
【発明の開示】
【発明が解決しようとする課題】
【００１２】
図８に上述した空調制御システムにおける年間を通しての給気温度と給気風量の変化例を示す。この例のように、給気温度や給気風量は、年間の負荷に合わせて、変動する。ここで、中間期や冬期など、負荷が少ない場合、給気温度が室内温度とほゞ同じとなることがある。この時、空調制御システム全体でみると、空調機１は被空調空間２内の換気を確保するためにだけ動作していることになる。
【００１３】
このように、従来においては、被空調空間２における負荷が少ない場合、空調機１が被空調空間２内の換気を確保するためにだけ動作する。この場合、空調機１に還気を戻さなくても、少ない熱量で所望の給気温度を確保することができる。しかしながら、従来においては、空調機１に還気を戻しており、この還気を戻すための動力が無駄に消費されていた。
【００１４】
本発明は、このような課題を解決するためになされたもので、その目的とするところは、被空調空間における負荷が少ない場合の省エネルギーを図ることができる空調制御装置および空調制御方法を提供することにある。
【課題を解決するための手段】
【００１５】
このような目的を達成するために本発明は、被空調空間からの換気の一部を還気として外気と合わせて空調機へ戻す還気手段（還気ダンパ）と、空調機からの被空調空間への給気の量を調節する給気量調節手段（給気ファン）と、被空調空間から排出される換気の量を調節する換気量調節手段（還気ファン）とを備えた空調制御システムに用いられる空調制御装置において、被空調空間の室内温度と被空調空間への給気の温度とがほゞ同一となった場合、還気手段によって戻される空調機への還気の量を現在の還気の量よりも減らすとともに、給気量調節手段および換気量調節手段での調節量を絞って被空調空間への給気の量および被空調空間からの換気の量を現在の給気の量および換気の量よりも減らす制御状態切替手段を設けたものである。
【００１６】
この発明によれば、被空調空間への給気の温度が室内温度とほゞ同じとなると、空調機への還気の量が減らされるとともに、被空調空間への給気の量および被空調空間からの換気の量が減らされる。例えば、空調機への還気の供給通路に設けられた還気ダンパを全閉とし、給気ファンおよび還気ファンの風量を絞って、被空調空間への給気の量および被空調空間からの換気の量を減らす。これにより、給気ファンおよび還気ファンの動力を削減して、省エネルギーを図ることが可能となる。
【００１７】
なお、被空調空間への給気の温度が室内温度とほゞ同じとなったとき、例えば、還気ダンパを全閉とすると共に、外気ダンパおよび換気ダンパを全開とすれば、流路の抵抗を減らして、給気ファンおよび還気ファンの動力をさらに削減することが可能となる。
【００１８】
また、制御例の一例として、被空調空間の室内温度と被空調空間への給気の温度との差が所定の偏差範囲に入った時点より、その室内温度（ｔｐｖ）と給気の温度（ｔＳｐｖ）との偏差の度合いに応じて、還気ダンパの開度、外気ダンパの開度および換気ダンパの開度ならびに給気ファンおよび還気ファンの風量を調整して行くようにすれば、結果的に、ｔｐｖ＝ｔＳｐｖに向けて、還気ダンパを徐々に全閉とし、また外気ダンパおよび換気ダンパを徐々に全開とし、給気ファンおよび還気ファンの風量を徐々に絞って行くようにして、制御状態の切り替えが急激に行われないようにし、ハンチングを防止することが可能となる。
【００１９】
また、別の制御例として、被空調空間への給気の温度が室内温度とほゞ同じとなった場合、還気ダンパを徐々に全閉とし、また外気ダンパおよび換気ダンパを徐々に全開とし、給気ファンおよび還気ファンの風量を徐々に絞って行くようにすることも考えられる
【発明の効果】
【００２０】
本発明によれば、被空調空間の室内温度と被空調空間への給気の温度とがほゞ同一となった場合、空調機への還気の量を減らすとともに、被空調空間への給気の量および被空調空間からの換気の量を減らすようにしたので、給気ファンや還気ファンの動力を削減して、省エネルギーを図ることが可能となる。
【発明を実施するための最良の形態】
【００２１】
以下、本発明を図面に基づいて詳細に説明する。図１はこの発明に係る空調制御装置を用いた空調制御システムの一実施の形態を示す計装図である。同図において、図７と同一符号は図７を参照して説明した構成要素と同一或いは同等構成要素を示し、その説明は省略する。
【００２２】
この実施の形態において、全体のシステム構成は図７に示したシステム構成と同じであるが、空調制御装置が有する機能が異なっている。以下、図７における空調制御システムの空調制御装置３と区別するために、本実施の形態における空調制御装置を空調制御装置３０とする。
【００２３】
図２に空調制御装置３０のハードウェア構成の概略を示す。同図において、３０−１はＣＰＵ、３０−２はＲＡＭ、３０−３はＲＯＭ、３０−４はハードディスクなどの記憶装置、３０−５〜３０−９はインターフェイスである。ＣＰＵ３０−１は、ＲＡＭ３０−２にアクセスしながら、ＲＯＭ３０−３や記憶装置３０−４に格納されたプログラムに従って動作する。
【００２４】
記憶装置３０−４には、本実施の形態特有のプログラムとして、軽負荷時における被空調空間２に対する給排気の制御状態を切り替える給排気制御状態切替プログラムが格納されている。以下、給排気の制御状態の切り替えを換気切替と呼び、給排気制御状態切替プログラムを換気切替制御プログラムと呼ぶ。この換気切替制御プログラムは、例えばＣＤ−ＲＯＭなどの記録媒体に記録された状態で提供され、この記録媒体から読み出されて記憶装置３０−４にインストールされている。
【００２５】
図３に空調制御装置３０の要部の機能ブロック図を示す。空調制御装置３０は、被空調空間２の室内温度ｔｐｖと被空調空間２への給気の温度ｔＳｐｖとを比較する温度比較部３０Ａと、この温度比較部３０Ａにおいて被空調空間２の室内温度ｔｐｖと被空調空間２への給気の温度ｔＳｐｖとがほゞ同一となったことが確認された場合、還気ダンパ１０の開度θＲを０％（全閉）、外気ダンパ８の開度θＡおよび換気ダンパ９の開度θＶを１００％（全開）とする一方、インバータ１−５への回転数の制御指令ＩＮＶ１およびインバータ１３への回転数の制御指令ＩＮＶ２を変更して給気ファン１−４および還気ファン１１の回転数を下げる制御状態切替部（換気切替部）３０Ｂとを備えている。この空調制御装置３０において、温度比較部３０Ａと制御状態切替部３０ＢはＣＰＵ３０−１（図２）の処理機能として実現される。
【００２６】
以下、記憶装置３−４に格納されている換気切替制御プログラムに従ってＣＰＵ３０−１が実行する処理動作について、図４に示すフローチャートを参照しながら説明する。
【００２７】
〔室内温度と給気温度との比較〕
ＣＰＵ３０−１は、温度センサ１７からの室内温度の実測値ｔｐｖを取得し（ステップＳ１０１）、給気温度センサ４からの給気温度の実測値ｔＳｐｖ取得し（ステップＳ１０２）、この取得した室内温度の実測値ｔｐｖと給気温度の実測値ｔＳｐｖとを比較する（ステップＳ１０３）。
【００２８】
ここで、室内温度の実測値ｔｐｖと給気温度の実測値ｔＳｐｖとがほゞ同一（ｔｐｖ≒ｔＳｐｖ）であれば（ステップＳ１０３のＹＥＳ）、被空調空間２内の負荷が軽負荷であるとみなし、ステップＳ１０４以降の処理（換気切替の処理）へと進む。
【００２９】
なお、この場合、外気冷房やＣＯ２制御などは働いていないものとし、空調機１への外気の取入量は「３０００」、給気ファン１−４からの被空調空間２への給気の量は「６０００」、換気ファン１２を介する被空調空間２からの外気への換気の量は「２０００」、還気ファン１１を介する被空調空間２からの換気の量は「４０００」、還気ダンパ１０を介する空調機１への還気の量は「３０００」、換気ダンパ９を介する外気への換気の量は「１０００」であるものとする。また、空調機１では、「６℃×６０００」の暖房を行っているものとする。
【００３０】
また、この実施の形態において、室内温度の実測値ｔｐｖと給気温度の実測値ｔＳｐｖとがほゞ同一であるか否かの判断は、ｔＳｐｖ＞（ｔｐｖ−α）、かつ、ｔＳｐｖ＜（ｔｐｖ＋β）で行うものとする。なお、給気温度の設定値をｔＳｓｐとし、ｔＳｓｐ＞（ｔｐｖ−α）、かつ、ｔＳｓｐ＜（ｔｐｖ＋β）によって、室内温度と給気温度とがほゞ同一であるか否かを判断するようにしてもよい。
【００３１】
〔換気切替〕
ＣＰＵ３０−１は、室内温度の実測値ｔｐｖと給気温度の実測値ｔＳｐｖとがほゞ同一であることを確認すると（ステップＳ１０３のＹＥＳ）、還気ダンパ１０の開度θＲを０％（全閉）とする（ステップＳ１０４）。また、外気ダンパ８の開度θＡおよび換気ダンパ９の開度θＶを１００％（全開）とする（ステップＳ１０５）。なお、この場合、空調機１への還気の量を現在の還気の量よりも大きく減らすことができればよく、還気ダンパ１０の開度θＲは必ずしも０％（全閉）としなくてもよい。
【００３２】
また、ＣＰＵ３０−１は、インバータ１−５への回転数の制御指令ＩＮＶ１を変更し、給気ファン１−４の回転数を下げ、給気ファン１−４からの被空調空間２への給気の量を減らす（ステップＳ１０６）。この例では、図５に示すように、給気ファン１−４からの被空調空間２への給気の量を「３０００」とする。すなわち、それまで「６０００」であった給気の量（現在の給気の量）を減らし、「３０００」とする。
【００３３】
また、ＣＰＵ３０−１は、インバータ１３への回転数の制御指令ＩＮＶ２を変更し、還気ファン１１の回転数を下げ、被空調空間２からの還気ファン１１を介する換気の量を減らす（ステップＳ１０７）。この例では、図５に示すように、被空調空間２からの還気ファン１１を介する換気の量を「１０００」とする。すなわち、それまで「４０００」であった換気の量（現在の換気の量）を減らし、「１０００」とする。
【００３４】
この場合、空調機１では、それまで「６℃×６０００」の暖房を行っていたものが、「１２℃×３０００」の暖房を行うものとなり、空調機１での消費熱量に変化はなく、被空調空間２における室内環境も変わることはない。また、換気ファン１２を介する外気への換気の量は「２０００」、換気ダンパ９を介する外気への換気の量は「１０００」であり、トータルとして「３０００」となるので、外気へ排出される換気の量も変わらない。一方、給気ファン１−４および還気ファン１１はその回転数が下げられるので、その動力が削減される。
【００３５】
このように、本実施の形態では、被空調空間２の負荷が軽負荷となった場合、空調機１での消費熱量、外気への換気量、室内環境を変えずに、給気ファン１−４からの被空調空間２への給気の量および被空調空間２からの還気ファン１１を介する換気の量が大きく削減され、省エネルギーが図られるものとなる。
【００３６】
なお、上述した実施の形態では、被空調空間２への給気の温度ｔＳｐｖが室内温度ｔｐｖとほゞ同じとなったとき、還気ダンパ１０を全閉とし、外気ダンパ８および換気ダンパ９を全開としたが、外気ダンパ８および換気ダンパ９は必ずしも全開としなくてもよい。外気ダンパ８および換気ダンパ９を全開とすると、流路の抵抗を減らして、給気ファン１−４および還気ファン１１の動力をさらに削減することができるようになる。
【００３７】
また、上述した実施の形態では、被空調空間２への給気の温度ｔＳｐｖが室内温度ｔｐｖとほゞ同じとなったとき、還気ダンパ１０を全閉とし、外気ダンパ８および換気ダンパ９を全開とし、給気ファン１−４および還気ファン１１の風量を換気切替時の下限値まで絞るようにしたが、室内温度ｔｐｖと給気の温度ｔＳｐｖとの差が所定の偏差範囲に入った時点より、その室内温度ｔｐｖと給気の温度ｔＳｐｖとの偏差の度合いに応じて、外気ダンパ８の開度θＡ、換気ダンパ９の開度θＶおよび還気ダンパ１０の開度θＲならびに給気ファン１−４および還気ファン１１の回転数を調整して行くようにしてもよい。
【００３８】
このようにすることにより、図６にその制御例を示すように、結果的に、ｔｐｖ＝ｔＳｐｖに向けて、還気ダンパ１０を徐々に全閉とし、また外気ダンパ８および換気ダンパ９を徐々に全開とし、給気ファン１−４および還気ファン１１の風量を換気切替時の下限値まで徐々に絞って行くようにすることができ、換気切替が急激に行われないようにして、ハンチングを防止することが可能となる。
【００３９】
また、別の制御例として、室内温度ｔｐｖと給気の温度ｔＳｐｖとがほゞ同一となった場合、すぐに還気ダンパ１０を全閉とし、外気ダンパ８および換気ダンパ９を全開とし、給気ファン１−４および還気ファン１１の風量を換気切替時の下限値まで絞るのではなく、還気ダンパ１０を徐々に全閉とし、また外気ダンパ８および換気ダンパ９を徐々に全開とし、給気ファン１−４および還気ファン１１の風量を換気切替時の下限値まで徐々に絞って行くようにしてもよい。
【図面の簡単な説明】
【００４０】
【図１】本発明に係る空調制御装置を用いた空調制御システムの一実施の形態を示す計装図である。
【図２】この空調制御システムにおける空調制御装置のハードウェア構成の概略を示す図である。
【図３】この空調制御装置の要部の機能ブロック図である。
【図４】この空調制御装置のＣＰＵが実行する換気切替制御プログラムに従う処理動作を示すフローチャートである。
【図５】換気切替後のシステムの状態を説明する図である。
【図６】換気切替を徐々に行うようにした場合の制御例を示す図である。
【図７】空調機に還気を戻すようにした従来の空調制御システムの一例を示す計装図である。
【図８】この空調制御システムにおける年間を通しての給気温度と給気風量の変化例を示す図である。
【符号の説明】
【００４１】
１…空調機、２…被空調空間（室内）、１−１…冷却コイル、１−２…加熱コイル、１−３…加湿器、１−４…送風機（給気ファン）、１−５…インバータ、４…給気温度センサ、５…冷水弁、６…温水弁、７…加湿弁、８…外気ダンパ、９…換気ダンパ、１０…還気ダンパ、１１…排風機（還気ファン）、１２…換気ファン、１３…インバータ、１４…湿度設定器、１５…温度設定器、１６…湿度センサ、１７…温度センサ、３０…空調制御装置、３０−１…ＣＰＵ、３０−２…ＲＡＭ、３０−３…ＲＯＭ、３０−４…記憶装置、３０−５〜３０−９…インターフェイス、３０Ａ…温度比較部、３０Ｂ…制御状態切替部（換気切替部）。
【図１】
2009270770.tif 000003
【図２】
2009270770.tif 000004
【図３】
2009270770.tif 000005
【図４】
2009270770.tif 000006
【図５】
2009270770.tif 000007
【図６】
2009270770.tif 000008
【図７】
2009270770.tif 000009
【図８】
2009270770.tif 000010